(57)【特許請求の範囲】
【請求項１】
暗渠設備を再生させるのに使用される暗渠設備再生装置であって、
掘削刃を備え、前記掘削刃が、前記進行方向の側の上端と下端が前記進行方向の側に向かって鋭利に突出するように形成され、前記上端と前記下端との間が前記進行方向と反対の側にほぼ弧状に湾曲するように凹んだ刃面を有するように形成されており、
前記掘削刃の進行方向と反対の側に配置され、上部が開放したホッパと、前記ホッパの下方に前記ホッパと連通するように配置された投入口部分とを有する疎水材投入部をさらに備え、
前記投入口部分が、前記掘削刃とほぼ一線をなすように、前記掘削刃の直後に配置された細幅の形状を有しており、
前記掘削刃で掘削された土壌部分内に、前記投入口部分から疎水材が投入するように構成されていることを特徴とする装置。
【請求項２】
前記投入口部分の幅が、５ｃｍ〜１０ｃｍであることを特徴とする請求項１に記載された暗渠設備再生装置。
【請求項３】
走行装置に装着されることを特徴とする請求項１又は２に記載された暗渠設備再生装置。
【請求項４】
請求項１から請求項３までのいずれか１項に記載された暗渠設備再生装置を使用して暗渠設備を再生する方法であって、
再生しようとする既存の暗渠の少なくとも上部を前記掘削刃によって掘削して溝を設ける工程と、
前記溝内に前記投入口部分から新たな疎水材を投入する工程と、
を含むことを特徴とする方法。
【発明の詳細な説明】
【技術分野】
【０００１】
本発明は、透水性能が低下した暗渠設備を再生させるのに使用される暗渠設備再生装置および該装置を使用した暗渠設備再生方法に関する。
【背景技術】
【０００２】
暗渠設備は、掘削溝（暗渠）の底部に排水管を設置し、排水管の上部に疎水材を投入することによって、土中の水が排水管に容易に流入して水はけを良くするようにした設備である。
【発明の概要】
【発明が解決しようとする課題】
【０００３】
暗渠設備は、良好な透水性を有する疎水材を排水管の上部に設置することによって機能しているが、暗渠設備の施工後、時間の経過とともに、疎水材が目詰まりする等して透水性能が低下すると、暗渠設備の機能が損なわれる事態が招来する。とりわけ、粘土質やシルト分の多い土質では、疎水材の透水性能の低下が著しい場合が多い。このような場合に、機能が低下した暗渠を新たに施工し直そうとすると、多大なコストや施工時間を要するという不都合がある。
【０００４】
本発明は、このような状況に鑑みて開発されたものであって、機能が低下した暗渠設備を低コストで再生させるための暗渠設備再生装置および該装置を使用した暗渠設備再生方法を提供することを目的とする。
【課題を解決するための手段】
【０００６】
本願請求項１に記載の暗渠設備再生装置は、掘削刃を備え、前記掘削刃が、前記進行方向の側の上端と下端が前記進行方向の側に向かって鋭利に突出するように形成され、前記上端と前記下端との間が前記進行方向と反対の側にほぼ弧状に湾曲するように凹んだ刃面を有するように形成されており、前記掘削刃の進行方向と反対の側に配置され、上部が開放したホッパと、前記ホッパの下方に前記ホッパと連通するように配置された投入口部分とを有する疎水材投入部をさらに備え、前記投入口部分が、前記掘削刃とほぼ一線をなすように、前記掘削刃の直後に配置された細幅の形状を有しており、前記掘削刃で掘削された土壌部分内に、前記投入口部分から疎水材が投入するように構成されていることを特徴とするものである。
【０００７】
本願請求項２に記載の暗渠設備再生装置は、前記請求項１の装置において、前記投入口部分の幅が、５ｃｍ〜１０ｃｍであることを特徴とするものである。
【０００８】
本願請求項３に記載の暗渠設備再生装置は、前記請求項１又は２の装置において、走行装置に装着されることを特徴とするものである。
【０００９】
本願請求項４に記載の前記請求項１から請求項３までのいずれか１項に記載された装置を使用して暗渠設備を再生する方法は、再生しようとする既存の暗渠の少なくとも上部を前記掘削刃によって掘削して溝を設ける工程と、前記溝内に前記投入口部分から新たな疎水材を投入する工程とを含むことを特徴とするものである。
【発明の効果】
【００１０】
本発明の暗渠設備再生装置および暗渠設備再生方法によれば、暗渠を新たに施工し直すことなしに、既存の暗渠の上部の疎水材を入れ換えることができるので、比較的簡単かつ低コストで暗渠を再生させることができる。本発明の暗渠設備再生装置は、構造が比較的簡単であるため、製造コストを廉価に抑えることができるとともに、装置の維持管理に要する費用と手間を軽減することができる。
【図面の簡単な説明】
【００１１】
【図１】本発明の好ましい実施の形態に係る暗渠設備再生方法の工程を示した模式図であって、図１（ａ）は、再生方法の第１工程を示した断面図、図１（ｂ）は、再生方法の第２工程を示した断面図、図１（ｃ）、（ｄ）、（ｅ）は、掘削溝の設置態様を示した平面図である。
【図２】図２（ａ）は、本発明の好ましい実施の形態に係る暗渠設備再生装置の全体を概略的に示した側面図、図２（ｂ）は、図２（ａ）の線２ｂ−２ｂに沿って見た図である。
【図３】図２（ａ）の線３−３に沿って見た平面図である。
【図４】図３の線４−４に沿って見た断面図である。
【図５】図２（ａ）の暗渠設備再生装置の掘削刃の拡大図である。
【図６】図２（ａ）の暗渠設備再生装置を使用して暗渠設備を再生している状態を示した模式図である。
【発明を実施するための形態】
【００１２】
次に図面を参照して、本発明の好ましい実施の形態に係る暗渠設備再生方法について説明する。図１は、本発明の好ましい実施の形態に係る暗渠設備再生方法の工程を示した模式図である。本発明の好ましい実施の形態に係る暗渠設備再生方法は、再生しようとする既存の暗渠（すなわち、疎水材の透水性能の低下した暗渠の箇所）の少なくとも上部を掘削して溝を設ける第１工程を含む（図１（ａ）参照）。ここで、「少なくとも上部を掘削」としたのは、少なくとも上部を掘削すれば足りるが、全部（すなわち、排水管に至るまで）を掘削しても差し支えないことを意味している。
【００１３】
本発明の好ましい実施の形態に係る暗渠設備再生方法は、このようにして形成された溝内に新たな疎水材を投入する第２工程を含む（図１（ｂ）参照）。投入する新たな疎水材は、任意の適当なものを使用してよい。
【００１４】
このようして透水性能の低下した疎水材を新たな疎水材と交換することにより、当該箇所の透水性能を改善し、これにより暗渠設備を再生することができる。
【００１５】
なお、掘削溝は、暗渠設備の状態に応じて、排水管に沿って排水管の上部に設けてもよく（図１（ｃ）参照）、排水管と交差するようにして排水管の上部に設けてもよい（図１（ｄ）、（ｅ）参照）。
【００１６】
次に、本発明の好ましい実施の形態に係る暗渠設備再生装置について詳細に説明する。図２（ａ）は、本発明の好ましい実施の形態に係る暗渠設備再生装置を概略的に示した側面図である。図２（ａ）において全体として参照符号１０で示される本発明の好ましい実施の形態に係る暗渠設備再生装置は、掘削刃１２を備えている。
【００１７】
掘削刃１２は、図５に示されるように、暗渠設備再生装置１０の進行方向の側に、ほぼ弧状に凹んだ刃面１２ａを有するように形作られている。より詳細に説明すると、掘削刃１２は、その進行方向の側に、上端１２ａ１と下端１２ａ２が進行方向の側に向かって鋭利に突出するように形成され、上端１２ａ１と下端１２ａ２との間が進行方向と反対の側にほぼ弧状に湾曲するように凹んだ部分１２ａ３を有するように形成されている。掘削刃１２をこのような形状にすることにより、土壌が粘土質のように掘削しにくい場合であっても、良好に掘削することが可能になる。なお、本発明者が行った種々の実験によれば、刃面１２ａの下端１２ａ２と水平面とのなす角度αを約３０°〜約４５°とするのが好ましい。
【００１８】
暗渠設備再生装置１０はまた、掘削刃１２の進行方向と反対の側に配置された疎水材投入部１４を備えている。疎水材投入部１４は、上部が開放したホッパ１４ａと、ホッパ１４ａの下方にホッパ１４ａと連通するように配置された投入口部分１４ｂとを有している。投入口部分１４ｂは、掘削刃１２とほぼ一線をなすように（図３参照）、掘削刃１２の直後に配置された細幅の形状を有している。投入口部分１４ｂを細幅の形状にしたことにより、掘削刃１２で掘削された土壌部分内に、疎水材を効率的に投入することが可能になった。投入口部分１４ｂの幅ｄは、５ｃｍ〜１０ｃｍとするのが好ましく、６ｃｍとするのが最も好ましい。なお、投入口部分１４ｂの後端（進行方向と反対の側の端）は、図２（ｂ）に示されるように、疎水材を投入しやすいように開放状態にしてもよく、或いは開閉式の扉（図示せず）を設けて、開閉可能に構成してもよい。
【００１９】
暗渠設備再生装置１０はさらに、ブルドーザー等の走行装置に装着するのに使用される取付部１６を備えている。取付部１６は、掘削刃１２及び／又は疎水材投入部１４の位置や傾きを調整できるようなものであるのが好ましいが、図２（ａ）に示した取付部１６は一例にすぎず、他の適当な構成の取付部を採用してもよい。
【００２０】
次に、図６を参照して、以上のように構成された暗渠設備再生装置１０の使用について説明する。ブルドーザーに暗渠設備再生装置１０を装着し、暗渠を再生しようとする箇所に移動させる。次いで、ブルドーザーを前進させながら、掘削刃１２で既存の暗渠の上部を掘削して溝を設ける。こうして形成された溝内に、投入口部分１４ｂを介して、新たな疎水材を投入する。このようにして、疎水材の透水性能の低下した箇所に新たな疎水材を投入することにより、暗渠を容易に再生させることができる。
【００２１】
なお、暗渠再生作業を実施すると、疎水材投入部１４内の疎水材が徐々に減少するので、ブルドーザーと平行に移動する疎水材供給車両（図示せず）から、疎水材投入部１４内に疎水材が補充されるように構成するのがよい。これにより、作業を中断せずに継続して実施することができるので、より効率的な暗渠再生作業が可能となる。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
例えば、図示されている疎水材投入部１４の形状及び寸法、取付部１６の構造等は、例示的なものにすぎず、本発明の目的を達成することができるものであれば、他の適当な形状等を採用してもよい。また、本発明の暗渠再生方法は、上述の暗渠再生装置を使用せずに他の適当な装置を使用して実施してもよい。
【符号の説明】
【００２４】
１０  暗渠設備再生装置
１２  掘削刃
１２ａ  刃面
１２ａ１  上端
１２ａ２  下端
１２ａ３  凹んだ部分
１４  疎水材投入部
１４ａ  ホッパ
１４ｂ  投入口部分
１６  取付部
【図１】
0005511031.tif 000002
【図２】
0005511031.tif 000003
【図３】
0005511031.tif 000004
【図４】
0005511031.tif 000005
【図５】
0005511031.tif 000006
【図６】
0005511031.tif 000007